(57)【要約】【課題】異物を検出可能なセンサを備え、当該センサの検出領域から調理容器の取手を逃がすことができるコンロを提供する。【解決手段】左バーナ４の前側に４つのセンサ３１〜３４が設けられる。センサ３１〜３４は、異物までの距離を測定可能であり、受光部４２側よりも発光部４１側においてセンサから離れる方向に長い検出領域を有する測距センサである。左バーナ４の中央位置で互いに隣り合うセンサ３２、３３において、夫々の発光部４１と受光部４２の配列は、受光部４２側を中央位置側とし、且つ中央位置で互いにミラー対称となっている。これにより、センサ３２、３３の夫々の検出領域の間において、異物を検出しない逃がし領域を広く形成できる。これにより、調理容器の取手を中央位置に向けて逃がし領域に配置することで、取手を異物として検出しないようにできる。【選択図】図５
2020139655.tif 000002
【特許請求の範囲】
【請求項１】
赤外光を上方に向けて発光する発光部と、前記発光部が発光して異物に反射した反射光を受光する受光部とを備えた複数のセンサを、少なくともコンロバーナよりも前側に配列して設け、前記複数のセンサの夫々の前記受光部が受光した前記反射光に基づき、天板から所定高さ範囲内において前記異物の有無を判定し、当該判定結果に基づき、前記コンロバーナの火力を制御するコンロにおいて、
前記センサは、前記異物までの距離を測定可能であり、前記受光部側よりも前記発光部側において前記センサから離れる方向に長い検出領域を有する測距センサであって、
前記複数のセンサは、
前記コンロバーナの少なくとも左右方向における所定位置で互いに隣り合い、夫々の前記受光部側が前記所定位置側に配置されることによって、夫々の前記発光部と前記受光部の配列が前記所定位置において互いにミラー対称となった一対のセンサを備えたこと
を特徴とするコンロ。
【請求項２】
前記コンロバーナの前側における前記複数のセンサの配列方向において、
前記複数のセンサの夫々の前記発光部の配置を同一ピッチとしたこと
を特徴とする請求項１に記載のコンロ。
【請求項３】
前記コンロバーナの前側における前記複数のセンサの配列方向において、
前記複数のセンサの夫々の前記発光部間のピッチのうち、前記所定位置で互いに隣り合う前記一対のセンサの夫々の前記発光部間の第一ピッチを、当該第一ピッチを除く他の第二ピッチよりも広くしたこと
を特徴とする請求項１に記載のコンロ。
【請求項４】
前記所定位置は、前記コンロバーナの中心に対して正面の位置であること
を特徴とする請求項１〜３の何れかに記載のコンロ。
【発明の詳細な説明】
【技術分野】
【０００１】
本発明は、コンロに関する。
【背景技術】
【０００２】
従来、天板の前側に異物の進入を検出可能な複数の光センサを備え、当該複数の光センサのうちいずれかが異物の進入を検出した場合、コンロバーナの火力を絞ることができるガスコンロが知られている（例えば、特許文献１参照）。光センサは測距センサであって、発光部から照射された赤外光が異物で反射した反射光を受光部で受光し、三角測距方式を応用して異物までの距離を測定する。異物までの測定距離が作動距離以下を示す光センサがある場合、ガスコンロは、コンロバーナの火力を絞ることによって、使用者の着衣着火等を防止できる。
【０００３】
発光部と受光部を一つずつ備える光センサは、発光部側における異物の検出領域が受光部側よりも広い特性がある。つまり、受光部側の検出領域の高さは、発光部側の検出領域の高さよりも低いので、この特性を利用して、例えば、センサの受光部側に、フライパンの取手を配置して、取手をセンサの検出領域から逃がす方法が考えられる。
【先行技術文献】
【特許文献】
【０００４】
【特許文献１】特開２０１８−１２８１６１号公報
【発明の概要】
【発明が解決しようとする課題】
【０００５】
特許文献１に記載のガスコンロでは、一つのコンロバーナの前側に５つの光センサが円弧状に配列されているが、その５つの光センサにおいて、受光部と発光部の配置が全て同一方向となっている。この場合、各センサ間に、取手を検出しない検出領域を形成できるが、その検出領域の幅は狭いことから、誤作動し易く、取手の位置が少しでも移動することによって、検出、非検出を繰り返す可能性もあった。
【０００６】
本発明の目的は、異物を検出可能なセンサを備え、当該センサの検出領域から調理容器の取手を逃がすことができるコンロを提供することである。
【課題を解決するための手段】
【０００７】
請求項１のコンロは、赤外光を上方に向けて発光する発光部と、前記発光部が発光して異物に反射した反射光を受光する受光部とを備えた複数のセンサを、少なくともコンロバーナよりも前側に配列して設け、前記複数のセンサの夫々の前記受光部が受光した前記反射光に基づき、天板から所定高さ範囲内において前記異物の有無を判定し、当該判定結果に基づき、前記コンロバーナの火力を制御するコンロにおいて、前記センサは、前記異物までの距離を測定可能であり、前記受光部側よりも前記発光部側において前記センサから離れる方向に長い検出領域を有する測距センサであって、前記複数のセンサは、前記コンロバーナの少なくとも左右方向における所定位置で互いに隣り合い、夫々の前記受光部側が前記所定位置側に配置されることによって、夫々の前記発光部と前記受光部の配列が前記所定位置において互いにミラー対称となった一対のセンサを備えたことを特徴とする。
【０００８】
請求項２のコンロは、前記コンロバーナの前側における前記複数のセンサの配列方向において、前記複数のセンサの夫々の前記発光部の配置を同一ピッチとするとよい。
【０００９】
請求項３のコンロは、前記コンロバーナの前側における前記複数のセンサの配列方向において、前記複数のセンサの夫々の前記発光部間のピッチのうち、前記所定位置で互いに隣り合う前記一対のセンサの夫々の前記発光部間の第一ピッチを、当該第一ピッチを除く他の第二ピッチよりも広くするとよい。
【００１０】
請求項４のコンロの前記所定位置は、前記コンロバーナの中心に対して正面の位置であるとよい。
【発明の効果】
【００１１】
請求項１のコンロによれば、複数のセンサを、少なくともコンロバーナよりも前側に配列して設ける。センサは、異物までの距離を測定可能であり、受光部側よりも発光部側においてセンサから離れる方向に長い検出領域を有する測距センサである。そして、コンロバーナの所定位置で互いに隣り合う一対のセンサにおいて、夫々の受光部側が所定位置側に配置されることによって、夫々の発光部と受光部の配列が所定位置において互いにミラー対称となっている。これにより、コンロバーナの所定位置で互いに隣り合う一対のセンサ間において、異物を検出しない逃がし領域を広く形成できる。これにより、調理容器の取手を所定位置に向けて配置することによって、取手を異物として検知しないようにできる。コンロは、異物を取手と区別して検出できるので、異物が検出された場合に、コンロバーナの火力を適切に制御できる。なお、調理容器とは、例えば、フライパン、鍋等の調理に使用する容器を意味する。
【００１２】
請求項２のコンロによれば、複数のセンサの夫々の発光部の配置を同一ピッチとしたので、夫々のセンサの検出領域においてセンサから離れる方向に長い領域部分を、左右方向において同一ピッチで配置できる。これにより、コンロバーナに対して、前側のどこから異物が進入したとしても、その異物を均等に検出できる。
【００１３】
請求項３のコンロによれば、複数のセンサの夫々の発光部間のピッチのうち、所定位置で互いに隣り合う一対のセンサの夫々の発光部間の第一ピッチを、当該第一ピッチを除く他の第二ピッチよりも広くしているので、調理容器の取手を検出しない逃がし領域をより広く形成できる。
【００１４】
請求項４のコンロによれば、取手を検出しない逃がし領域を、コンロバーナの中心に対して正面の位置に設けることができるので、取手をコンロバーナの正面に配置することによって、取手を異物として検出しないようにできる。
【図面の簡単な説明】
【００１５】
【図１】コンロ１の斜視図である。
【図２】コンロ１の平面図である。
【図３】センサ３０の平面図である。
【図４】センサ３０の検出領域Ｆ０を示した図である。
【図５】センサ３１〜３９の夫々の発光部４１と受光部４２の配置が分かる図である。
【図６】センサ３１〜３４の夫々の検出領域Ｆ１〜Ｆ４を示した図である。
【図７】センサ間距離Ｂを、他のセンサ間距離Ａ、Ｃよりも広くした図（変形例）である。
【図８】センサ３１〜３９を左右方向に直線状に配列した図（変形例）である。
【発明を実施するための形態】
【００１６】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１７】
図１，図２を参照し、コンロ１の構造を説明する。コンロ１は、ビルトインコンロである。コンロ１は筐体２と天板３を備える。天板３はガラス製である。天板３の左側には左バーナ４、右側には右バーナ５が設けられる。左バーナ４と右バーナ５はコンロバーナの一例である。天板３の後端側には、グリル用の排気口７が設けられる。天板３の全体には、非透過性の印刷が施される。左バーナ４の前側には、左バーナ４の前側を取り囲むようにして、平面視略円弧状のセンサ用窓部１５が設けられ、右バーナ５の前側にも、同形状の平面視略円弧状のセンサ用窓部１６が設けられる。天板３の前側部の左右方向中央部にも、平面視略矩形状のセンサ用窓部１７が設けられる。センサ用窓部１５〜１７は透過性を有する領域であり、上方から見た場合に天板３下方を透過する（図２参照）。
【００１８】
センサ用窓部１５の下方には、左から右に４つのセンサ３１〜３４が夫々配置される。センサ用窓部１６の下方には、左から右に４つのセンサ３５〜３８が夫々配置される。センサ用窓部１７の下方には、１つのセンサ３９が配置される。これら９つのセンサ３１〜３９（以下総称する場合は「センサ３０」と呼ぶ）は、上方に位置する異物までの距離を測定可能な一般的な測距センサであり、例えば赤外線センサである。コンロ１は、これら複数のセンサ３０の夫々の受光部４２が受光した反射光に基づき、天板３から所定高さ範囲内に異物を検出した場合は、異物有りと判定して、燃焼中のコンロバーナの火力を最小火力に絞る。これにより、コンロ１は、コンロバーナに向けて進入する異物への着火等を防止できるので、安全性を向上できる。
【００１９】
天板３上において、センサ用窓部１５の前側には、左バーナ４を操作する為の左操作部１１が設けられる。センサ用窓部１６の前側には、右バーナ５を操作する為の右操作部１２が設けられる。センサ用窓部１７の前側には、グリルを操作する為のグリル操作部１３が設けられる。左操作部１１には、静電容量方式の種々のスイッチ、表示部等が配置され、例えば、点火／消火スイッチ２１、火力減スイッチ２２、火力増スイッチ２３が配置される。点火／消火スイッチ２１は、左バーナ４の点火と消火を受け付ける。火力減スイッチ２２は、指先でタッチされる度に、左バーナ４の火力を段階的に小さくする。火力増スイッチ２３、指先でタッチされる度に、左バーナ４の火力を段階的に大きくする。火力減スイッチ２２と火力増スイッチ２３は指先のタッチを感知し、該感知信号を制御部（図示略）に入力する。制御部は感知信号に応じ、筐体２内に設けたガス供給機構（図示略）においてガス量を増減し、対応する左バーナ４へのガス供給量を調節する。なお、右操作部１２にも同様のスイッチ、表示部等が配置される。
【００２０】
筐体２の前面の右上角部近傍には、電源スイッチ１９が設けられる。筐体２の前面の中央部には、グリル扉８が設けられる。グリル扉８は手前側に移動可能に支持され、筐体２内部に設けられるグリル庫（図示略）の前側の開口部を開閉する。グリル庫内には、グリルバーナ（図示略）が設けられる。
【００２１】
図３を参照し、センサ３０の構造と機能を説明する。センサ３０は、センサ筐体３００を備える。センサ筐体３００は上部が開口する有底筒状であり、天板３の下面に支持される。センサ筐体３００は内側に発光部４１と受光部４２を収容する。発光部４１と受光部４２の間には、仕切壁３０２が設けられる。発光部４１は上方に向けて赤外光を発光する。受光部４２は、発光部４１が発光した赤外光が異物に反射した反射光を受光する。センサ３０は、受光部４２が受光した反射光の強度に基づき、三角測距方式を応用して異物までの距離を測定する。
【００２２】
センサ３０は、対応するセンサ用窓部１５〜１７の上方に異物（例えば、使用者の身体の一部等）が進入した場合、その異物で反射した反射光を、センサ用窓部１５〜１７を介して受光部４２で受信し、異物までの距離を測定する。センサ３０は、測定した異物までの距離を距離信号として、制御部（図示略）に向けて出力する。制御部は受信した距離信号に基づき、検出した異物の高さが所定高さ範囲内であると判断した場合に、異物有りと判定する。
【００２３】
図４を参照し、センサ３０の検出領域の特性を説明する。図４は、一つのセンサ３０の異物の検出領域Ｆ０を簡略的に示している。上記の通り、センサ３０は、上方に位置する異物までの距離を測定可能な測距センサである。センサ３０の異物の検出領域Ｆ０は、センサ３０から上方に延びるが、受光部４２側よりも発光部４１側において、センサ３０から離れる方向に長い領域を有する。即ち、発光部４１側における異物の検出領域が受光部４２側よりも広い特性がある。この特性は、発光部４１から出射可能な赤外光の出射角度の範囲、若しくは受光部４２に入射可能な反射光の入射角度の範囲に基づく特性である。
【００２４】
図５、図６を参照し、９つのセンサ３０の配列と、夫々の発光部４１と受光部４２の配列について具体的に説明する。図５では、９つのセンサ３０の配列と、夫々の発光部４１と受光部４２の位置が分かるように、天板３上において実線で示し、センサ用窓部１５、センサ用窓部１６、センサ用窓部１７、左操作部１１、右操作部１２、グリル操作部１３は省略している。
【００２５】
左バーナ４の前側には、左側から順に、４つのセンサ３１〜３４が、左バーナ４の前側を取り囲むようにして、平面視略円弧状に配列されている。このような配置にすることで、左バーナ４の前側に対して、４つのセンサ３１〜３４から左バーナ４までの距離を略均一に揃えることができる。これにより、左バーナ４の前側に対して、前方、右斜め前方、左斜め前方の何れの方向から異物が進入した場合でも、左バーナ４との距離が一定の距離まで近づいたタイミングで速やかに異物を検出できる。一方、右バーナ５の前側には、左側から順に、４つのセンサ３５〜３８が、右バーナ５の前側を取り囲むようにして、平面視略円弧状に配列されている。天板３の前側部の左右方向中央部には、センサ３９が配置されている。センサ３９は、天板３の前方から左バーナ４と右バーナ５の間に進入する異物を検出可能である。天板３の前後方向において、センサ３９の位置は、センサ３４とセンサ３５の各位置と略同一となっている。
【００２６】
そして、左バーナ４に対応する４つのセンサ３１〜３４において、夫々の発光部４１と受光部４２の配列は、左バーナ４の正面の中央の基準線Ｏ（本発明の所定位置の一例）を中心に、ミラー対称になっている。具体的に言うと、基準線Ｏを間に挟んで左右方向に互いに隣り合うセンサ３２と３３において、センサ３０の上記特性を考慮し、夫々の受光部４２側が基準線Ｏ側になるように夫々配置されている。また、センサ３１と３４においても同様に、夫々の受光部４２側が基準線Ｏ側になるように夫々配置されている。そして、センサ３１と３２の夫々の発光部４１間の距離をＡ、センサ３２と３３の夫々の発光部４１間の距離をＢ、センサ３３と３４の夫々の発光部４１間の距離をＣとした場合、Ａ、Ｂ、Ｃはセンサ間距離であり、互いに同一ピッチに調整されている。
【００２７】
図６は、コンロ１を正面から見た場合において、センサ３１〜センサ３４の検出領域Ｆ１〜Ｆ４を簡略的に示している。上記の通り、センサ間距離Ａ、Ｂ、Ｃは同一ピッチであるので、左右方向において、検出領域Ｆ１〜Ｆ４の夫々の検出領域が長い部分を同一ピッチで配置できる。これにより、左バーナ４に対して、前側のどこから異物が進入したとしても、その異物を均等に検出できる。
【００２８】
そして、センサ３１〜３４は、夫々の受光部４２側が基準線Ｏ側になるように配置されているので、基準線Ｏを間に挟む検出領域Ｆ２とＦ３の間において、検出領域が短い受光部４２側の領域が互いに対向する位置関係となる。これにより、夫々の受光部４２と発光部４１の配置を全て同一方向とした従来構成に比べ、異物を検出しない逃がし領域Ｇ１を広く形成できる。
【００２９】
例えば、異物有りと判定する判定高さの閾値を１１ｃｍとした場合、逃がし領域Ｇ１の左右方向の幅はＥ１である。この幅Ｅ１が調理容器の取手９６の幅よりも広くなるように、センサ３１〜３４の位置を決定するのがよい。これにより、例えば、調理容器の取手９６の高さ位置が１１ｃｍの場合、その取手９６を左バーナ４の正面に向け、逃がし領域Ｇ１に配置することで、取手９６を異物として検出しないようにできる。よって、制御部によって燃焼中の左バーナ４の火力は絞られることなく、使用者によって操作される火力に制御されるので、使い勝手を向上できる。また、コンロ１は、異物を取手９６と区別して検出できるので、所定高さ範囲内に異物が検出された場合は、左バーナ４の火力を瞬時に絞ることができるので、安全性と使い勝手を両立できる。
【００３０】
なお、説明しないが、右バーナ５に対応するセンサ３５〜３８の配列と、夫々の発光部４１と受光部４２の配列についても、左バーナ４に対応するセンサ３１〜３４と同様である。また、中央のセンサ３９における発光部４１と受光部４２の配列については、特に限定しない。
【００３１】
以上説明したように、本実施形態のコンロ１は、複数のセンサ３０を、少なくとも左バーナ４及び右バーナ５よりも前側に配列して設ける。複数のセンサ３０は、赤外光を上方に向けて発光する発光部４１と、発光部４１が発光して異物に反射した反射光を受光する受光部４２とを備える。コンロ１は、複数のセンサ３０の夫々の受光部４２が受光した反射光に基づき、天板３から所定高さ範囲内において異物の有無を判定し、当該判定結果に基づき、左バーナ４及び右バーナ５の火力を制御する。センサ３０は、異物までの距離を測定可能であり、受光部４２側よりも発光部４１側においてセンサ３０から離れる方向に長い検出領域を有する測距センサである。
【００３２】
例えば、左バーナ４の前側に位置する４つのセンサ３１〜３４において、左バーナ４の少なくとも左右方向における中央の基準線Ｏで互いに隣り合う一対のセンサ３２、３３では、夫々の受光部４２側が基準線Ｏ側に配置されることによって、夫々の発光部４１と受光部４２の配列が基準線Ｏにおいて互いにミラー対称となっている。これにより、基準線Ｏを間に挟むセンサ３２の検出領域Ｆ２と、センサ３３の検出領域Ｆ３の間において、異物を検出しない逃がし領域Ｇ１を広く形成できる。これにより、取手９６を基準線Ｏに向けて逃がし領域Ｇ１に配置することで、取手９６を異物として検出しないようにできる。また、コンロ１は、異物を取手９６と区別して検出できるので、所定高さ範囲内に異物が検出された場合は、左バーナ４の火力を瞬時に絞ることができるので、安全性と使い勝手を両立できる。
【００３３】
なお、本発明は上記実施形態に限定されるものではなく、種々の変更が可能である。上記実施形態のコンロ１は、ビルトインコンロであるが、テーブルコンロであってもよい。また、コンロバーナの数は、上記実施形態では二つであるが、一つ、又は三つ以上であってもよい。また、グリルは省略してもよい。
【００３４】
また、天板３上における複数のセンサ３０の配置、個数、場所については、上記実施形態に限らず、自由に変更可能である。中央のセンサ３９は省略してもよい。センサ３０は赤外光を発光する赤外線センサであるが、発光部と受光部を備える反射型センサであればよい。
【００３５】
また、左バーナ４に対応する４つのセンサ３１〜３４の配列において、少なくとも基準線Ｏで互いに隣り合う一対のセンサ３２と３３において、夫々の発光部４１と受光部４２の配列とが、基準線Ｏにおいて、互いにミラー対称となっていればよい。よって、例えば、センサ３１、３４の夫々の発光部４１と受光部４２の配列は上記実施形態と異なっていてもよい。
【００３６】
また、左バーナ４に対応する４つのセンサ３１〜３４の配列において、上記実施形態では、センサ３１〜３４のセンサ間距離Ａ、Ｂ、Ｃは、互いに同一ピッチとなっているが、例えば、図７に示すように、センサ間距離ＡとＣを互いに同一ピッチとし、センサ間距離Ｂをセンサ間距離ＡとＣよりも広くしてもよい。これにより、センサ３２と３３の間に、上記実施形態の逃がし領域Ｇ１よりも広い逃がし領域Ｇ２を形成できる。そして、逃がし領域Ｇ２の幅Ｅ２は、上記実施形態の幅Ｅ１よりもさらに広いので、幅の長い取手にも十分に対応できる。また、センサ間距離ＡとＣは互いに異なっていてもよい。なお、図７におけるセンサ間距離Ｂは、本発明の「第一ピッチ」の一例であり、センサ間距離ＡとＣは、本発明の「第二ピッチ」の一例である。
【００３７】
また、上記実施形態では、左バーナ４の中心の基準線Ｏを所定位置とし、該所定位置で互いに隣り合う一対のセンサ３２と３３において、夫々の発光部４１と受光部４２の配列が所定位置において互いにミラー対称となっているが、所定位置が基準線Ｏ以外の位置であってもよい。例えば、左バーナ４の右斜め前方位置を所定位置とした場合、その右斜め前方位置で互いに隣り合う一対のセンサ３３と３４において、夫々の発光部４１と受光部４２の配列が互いにミラー対称となっていてもよい。この場合、逃がし領域は、センサ３３と３４の間に形成されるので、この逃がし領域に合わせて取手を配置すればよい。
【００３８】
また、上記実施形態では、センサ３１〜３４、センサ３５〜３８は、左バーナ４及び右バーナ５の前側において、平面視略円弧状に夫々配列されているが、例えば、図８に示すように、９つのセンサ３１〜３９を、左バーナ４及び右バーナ５の前側において、左右方向に延びる略直線状に配列してもよい。
【符号の説明】
【００３９】
１    コンロ
４    左バーナ
３１〜３９    センサ
４１      発光部
４２      受光部
Ａ、Ｂ、Ｃ    センサ間距離
【図１】
2020139655.tif 000003
【図２】
2020139655.tif 000004
【図３】
2020139655.tif 000005
【図４】
2020139655.tif 000006
【図５】
2020139655.tif 000007
【図６】
2020139655.tif 000008
【図７】
2020139655.tif 000009
【図８】
2020139655.tif 000010